【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
抗原特異的抗体を産生する細胞を標識化する方法であって、
抗体産生細胞を含む標本を得ることと、
前記抗体産生細胞に特異的な細胞表面マーカに結合するよう構成された第１部分と、目的の抗原に結合するよう構成された第２部分と、を有する架橋試薬で前記抗体産生細胞を標識することと、
前記抗体産生細胞が前記架橋試薬を介して前記目的の抗原に結合されるように、前記抗体産生細胞を前記目的の抗原に曝露することと、
前記抗体産生細胞の一部が前記目的の抗原に結合する前記抗原特異的抗体を産生するように、前記抗体産生細胞に抗体を産生させることと、
前記抗体産生細胞を前記抗原特異的抗体に結合するよう構成された標識化二次抗体に曝露することと、
を備える方法。
【請求項２】
前記架橋試薬の前記第１部分が、前記抗体産生細胞に特異的な前記細胞表面マーカに結合するよう構成されたＦＡＢ断片を備える、請求項１に記載の方法。
【請求項３】
前記架橋試薬の前記第２部分が、前記目的の抗原に結合するよう構成されたＦＡＢ断片を備える、請求項１に記載の方法。
【請求項４】
前記架橋試薬の前記第２部分が、前記目的の抗原を備える、請求項１に記載の方法。
【請求項５】
前記抗体産生細胞を前記目的の抗原に曝露することが、前記抗体産生細胞を、基質であって、当該基質に結合された前記目的の抗原を有する基質に曝露することを含む、請求項１に記載の方法。
【請求項６】
前記基質が、ビーズ、細胞、並びに前記ビーズ及び前記細胞の組み合わせからなる群から選択される、請求項５に記載の方法。
【請求項７】
前記抗体産生細胞を前記目的の抗原に曝露することが、前記抗体産生細胞を遊離型の前記目的の抗原に曝露することを含む、請求項１に記載の方法。
【請求項８】
目的タンパク質を産生する細胞を標識化する方法であって、
タンパク質産生細胞を含む細胞標本を得ることと、
前記タンパク質産生細胞に特異的な細胞表面マーカに結合するよう適合された第１部分と、前記目的タンパク質に特異的に結合するタンパク質特異的抗体に結合されるよう構成された第２部分と、を備える架橋試薬で前記タンパク質産生細胞を標識することと、
前記タンパク質産生細胞が前記架橋試薬を介して前記タンパク質特異的抗体に結合されるように、前記タンパク質産生細胞を前記タンパク質特異的抗体に曝露することと、
前記目的タンパク質が前記架橋試薬の前記タンパク質特異的抗体に結合するよう、前記タンパク質産生細胞に前記目的タンパク質を産生させることと、
前記タンパク質産生細胞を前記目的タンパク質に結合するよう適合された標識化抗体に曝露することと、
を備える方法。
【請求項９】
前記架橋試薬の前記第１部分が、前記タンパク質産生細胞に特異的な前記細胞表面マーカに結合するよう構成されたＦＡＢ断片を備える、請求項８に記載の方法。
【請求項１０】
前記タンパク質産生細胞を前記タンパク質特異的抗体に曝露する前記ステップが、前記タンパク質産生細胞を、基質であって、当該基質に結合された前記タンパク質特異的抗体を有する基質に曝露することを含む、請求項８に記載の方法。
【請求項１１】
前記架橋試薬が、ビオチン／ストレプトアビジン架橋部を備える、請求項８に記載の方法。
【請求項１２】
標識化二次抗体で標識された細胞を同定することをさらに含む、請求項１に記載の方法。
【請求項１３】
前記架橋試薬が、ビオチン／ストレプトアビジン架橋部を備える、請求項１に記載の方法。
【請求項１４】
前記架橋試薬の第１部分が、前記抗体産生細胞に特異的な細胞表面マーカに結合するよう構成された化学的又は生物学的架橋剤を備え、
前記化学的又は生物学的架橋剤が、ＦＡＢ断片を備えない、
請求項１に記載の方法。
【請求項１５】
前記抗体産生細胞が前記架橋試薬で標識されている場合、前記抗体産生細胞が目的の抗原に曝露される、請求項４に記載の方法。
【請求項１６】
前記目的の抗原が抗体である、請求項１に記載の方法。
【請求項１７】
前記基質が、ビーズ、細胞、及びそれらの組み合わせからなる群から選択される、請求項１０に記載の方法。
【請求項１８】
前記タンパク質産生細胞を前記タンパク質特異的抗体に曝露することが、前記タンパク質産生細胞を遊離型の前記タンパク質特異的抗体に曝露することを含む、請求項８に記載の方法。
【請求項１９】
標識化抗体で標識化された細胞を同定することをさらに含む、請求項８に記載の方法。
【請求項２０】
前記標識化抗体が、抗ＩｇＧ抗体である、請求項８に記載の方法。
【請求項２１】
前記架橋試薬の第１部分が、前記タンパク質産生細胞に特異的な細胞表面マーカに結合するよう構成された化学的又は生物学的架橋剤を備え、
前記化学的又は生物学的架橋剤が、ＦＡＢ断片を備えない、
請求項８に記載の方法。
【請求項２２】
目的タンパク質を産生する細胞を標識化する方法であって、
タンパク質産生細胞を含む細胞標本を得ることと、
タンパク質産生細胞に特異的な細胞表面マーカに結合するよう適合された第１部分と、目的の抗原に結合されるよう構成された第２部分と、を備える架橋試薬で、前記タンパク質産生細胞を標識化することと、
前記タンパク質産生細胞が架橋試薬を介して前記目的の抗原に連結されるように、前記タンパク質産生細胞を前記目的の抗原に曝露することと、
前記目的タンパク質が前記目的の抗原に結合するよう、前記タンパク質産生細胞が前記目的タンパク質を産生させることと、
前記タンパク質産生細胞を、前記目的タンパク質と結合するよう適合された標識化抗体に曝露することと、
を含む方法。
【請求項２３】
前記架橋試薬の第１部分が、前記タンパク質産生細胞に特異的なマーカに結合するよう構成されたＦＡＢ断片を備える、請求項２２に記載の方法。
【請求項２４】
前記架橋試薬の第１部分が、前記タンパク質産生細胞に特異的な細胞表面マーカに結合するよう構成された化学的又は生物学的架橋剤を備え、
前記化学的又は生物学的架橋剤が、ＦＡＢ断片を備えない、
請求項２２に記載の方法。
【請求項２５】
前記架橋試薬の第２部分が、前記目的の抗原に結合するよう構成されたＦＡＢ断片を備える、請求項２２に記載の方法。
【請求項２６】
前記架橋試薬の第２部分が、前記目的の抗原を備える、請求項２２に記載の方法。
【請求項２７】
前記目的の抗原が抗体である、請求項２２に記載の方法。
【請求項２８】
前記タンパク質産生細胞を前記目的の抗原に曝露することが、前記タンパク質産生細胞を遊離型の前記目的の抗原に曝露することを含む、請求項２２に記載の方法。
【請求項２９】
前記タンパク質産生細胞を前記目的の抗原に曝露することが、前記タンパク質産生細胞を、基質であって当該基質に結合された前記目的の抗原を有する基質に曝露することを含む、請求項２２に記載の方法。
【請求項３０】
前記架橋試薬が、ビオチン／ストレプトアビジン結合を備える、請求項２９に記載の方法。
【請求項３１】
前記基質が、ビーズ、細胞、及びそれらの組み合わせからなる群から選択される、請求項２９に記載の方法。
【請求項３２】
前記標識化抗体で標識化された細胞を同定することをさらに含む、請求項２２に記載の方法。
【請求項３３】
前記標識化された抗体が、抗ＩｇＧ抗体である、請求項２２に記載の方法。
【手続補正２】
【補正対象書類名】明細書
【補正対象項目名】０００３
【補正方法】変更
【補正の内容】
【０００３】
[0003]  疾病の治療的処置として用いることができる抗体を見つけようとする探求においては、多種多様な疾病及び疾患と関連する抗原を効果的に同定及び／又は中和することのできる特定の抗体を同定する必要がある。また、そのような抗体を同定するための従来の方法は、多くが有効な抗体の同定に際して比較的非効率的且つ非効果的であり得ることから、現在の技術を他の技術によって増補し、あるいは置換さえすることは、当該技術分野の進歩となるであろう。
【手続補正３】
【補正対象書類名】明細書
【補正対象項目名】０００４
【補正方法】変更
【補正の内容】
【０００４】
[0004]  本開示は、抗原特異的抗体などの目的タンパク質を産生する細胞を検出するためのシステム及び方法に係る。記載の方法は任意の適切な要素を備え得るものであるが、いくつかの非限定的な実施態様においては、記載の方法は、タンパク質産生細胞を含む細胞標本を得ることを含む。場合によっては、タンパク質産生細胞は、タンパク質産生細胞に特異的な細胞表面マーカに結合するよう適合された第１部分と、目的の抗原又は目的タンパク質に特異的な抗体であるタンパク質特異的抗体に結合されるよう構成された第２部分と、を有する架橋試薬で標識される。そのような場合においては、記載の方法はさらに、タンパク質産生細胞が架橋試薬を介して目的の抗原又はタンパク質特異的抗体と連結されるように、タンパク質産生細胞を目的の抗原又はタンパク質特異的抗体に曝露することを含むことがある。記載の方法はさらに、タンパク質産生細胞が目的の抗原又はタンパク質特異的抗体と選択的に結合するよう適合された目的タンパク質を産生できるようにすることを含んでもよい。場合によっては、これらの方法は、タンパク質産生細胞を目的タンパク質に結合するよう適合された標識化抗体に曝露することによって目的タンパク質を産生する細胞を同定することを含む。